(57)【要約】【課題】医療関連施設等において、日常の放射線治療等による施術者の放射線被曝を軽減するための放射線防護用衝立であって、透明の鉛ガラスを有し、該鉛ガラスの誘電破壊を誘発することなく、患者のプライバシー保護を図ることが可能な放射線防護用衝立を提供する。【解決手段】放射線を遮蔽する透明且つ板状の遮蔽ガラス１１ａを有する衝立本体１０と、前記遮蔽ガラス１１ａの厚み方向の少なくとも一方側において、前記遮蔽ガラス１１ａと離間して対向するように配置される調光シート２１ａを有する液晶ブラインド２０と、を備える。【選択図】図１
2016008849.tif 000002
【特許請求の範囲】
【請求項１】
放射線を遮蔽する透明且つ板状の鉛ガラスを有する衝立本体と、
前記鉛ガラスの厚み方向の少なくとも一方側において、前記鉛ガラスと離間して対向するように配置される液晶シートを有する液晶ブラインドと、
を備える、
ことを特徴とする放射線防護用衝立。
【請求項２】
前記液晶ブラインドにおいて、
前記液晶シートの少なくとも前記鉛ガラス側とは反対側の面に、板状のガラスが積層される、
ことを特徴とする、請求項１に記載の放射線防護用衝立。
【請求項３】
前記衝立本体は、基体となる衝立用枠体フレームを備え、
前記鉛ガラスは、絶縁部材を介して、前記衝立用枠体フレームに保持される、
ことを特徴とする、請求項１または請求項２に記載の放射線防護用衝立。
【請求項４】
前記液晶ブラインドは、基体となるブラインド用枠体フレームを備え、
前記液晶シートは、前記ブラインド用枠体フレームによって保持され、
前記ブラインド用枠体フレームおよび／または前記衝立用枠体フレームは、装着手段を有し、
前記装着手段によって、
前記液晶ブラインドは、前記衝立本体に着脱可能に装着される、
ことを特徴とする、請求項１〜請求項３の何れか一項に記載の放射線防護用衝立。
【発明の詳細な説明】
【技術分野】
【０００１】
本発明は、医療関連施設等において、施術者の放射線被曝を軽減するために用いられる放射線防護用衝立の技術に関する。
【背景技術】
【０００２】
従来から、例えば医療関連施設においては、放射線治療や放射線検査等による日常の微量の放射線被曝より医療従事者、看護者、および介護者等の施術者を守るため、放射線防護用衝立が用いられる。放射線防護用衝立には、施術者が施術中の患者の様態等を外部より視認するために、放射線遮蔽機能を有する透明の鉛ガラスが備えられている。
一方、近年においては、このような放射線防護用衝立に対して施術者の放射線被曝の軽減化を図るだけでなく、患者のプライバシー保護を求める声が高まっている。
即ち、施術を受ける患者等の立場から言えば、放射線防護用衝立を介して常に施術者の目に曝されるのは精神的に苦痛であり、少なくとも施術を行う前後においては、施術者の目に曝されたくないという要望がある。
【０００３】
このようなことから、患者のプライバシー保護を図るための方策として、例えば特許文献１〜３に開示される液晶ブラインド（調光シート）を防護衝立の鉛ガラスに貼設し、これらの液晶ブラインド（調光シート）の通電状態を制御することにより、前記鉛ガラスの視界を調整することが考えられる。
【０００４】
ここで、特許文献１においては、ガラス等からなる複数の透明板と、各一対の前記透明板の内側に形成された一対の中間膜等と、前記一対の中間膜等に挟まれた液晶フィルムとを有し、前記液晶フィルムが、一対の基板と、前記一対の基板の内側に形成された一対または複数対の透明電極と、前記一対または複数対の透明電極の各々の対に挟まれた高分子および液晶複合材料とを含むことを特徴とする液晶ブラインド（液晶ブラインド装置）に関する技術が開示されている。
【０００５】
また、特許文献２においては、透明で導電性を有する一対の透明電極板の相互間に複数個の液晶を上下方向へ分割して適宜パターンを構成し、且つ各透明電極板の相互間に電源、スイッチを直列に接続してなる液晶部材を形成し、この液晶部材に電源から電圧を印加して電源から各液晶の適宜パターンを制御することによって、各液晶が上下方向へ順次開閉されるように形成したことを特徴とする液晶ブラインドに関する技術が開示されている。
【０００６】
さらに、特許文献３においては、導電性を有し少なくとも一方が透明な二枚の基体間に、高分子中に液晶物質が分散して存在する調光層を設け、電界の印加の有無により、光の透過・散乱を制御し得るように構成した液晶ブラインド（調光シート）において、調光層が、液晶物質と電子線硬化性樹脂および紫外線吸収剤を主成分とした組成物に、電子線を照射し、電子線硬化性樹脂を硬化させるとともに液晶を相分離させたものであることを特徴とする液晶ブラインド（調光シート）に関する技術が開示されている。
【先行技術文献】
【特許文献】
【０００７】
【特許文献１】国際公開第ＷＯ２０１０／１００８０７号公報
【特許文献２】登録実用新案第３００９２０３号公報
【特許文献３】特開平７−２３９４６５号公報
【発明の概要】
【発明が解決しようとする課題】
【０００８】
しかしながら、鉛ガラスは一般的に、内部の電荷が表面上にて局在化することによって、誘電破壊を引き起こすといった特性を有している。
従って、前述した特許文献１〜３によって示される液晶ブラインド（調光シート）を用いて防護衝立の鉛ガラスの視界を調整することとすれば、これらの液晶ブラインド（調光シート）の通電状態を制御する度に磁場が発生し、該磁場によって鉛ガラスの内部の電荷が表面上に局在化し、誘電破壊が誘発されるので好ましくない。
【０００９】
本発明は、以上に示した現状の問題点を鑑みてなされたものであり、医療関連施設等において、日常の放射線治療等による施術者の放射線被曝を軽減するための放射線防護用衝立であって、透明の鉛ガラスを有し、該鉛ガラスの誘電破壊を誘発することなく、患者のプライバシー保護を図ることが可能な放射線防護用衝立を提供することを課題とする。
【課題を解決するための手段】
【００１０】
本発明の解決しようとする課題は以上の如くであり、次にこの課題を解決するための手段を説明する。
【００１１】
即ち、本発明の放射線防護用衝立は、放射線を遮蔽する透明且つ板状の鉛ガラスを有する衝立本体と、前記鉛ガラスの厚み方向の少なくとも一方側において、前記鉛ガラスと離間して対向するように配置される液晶シートを有する液晶ブラインドと、を備えることを特徴とする。
【００１２】
このような構成を有することにより、鉛ガラスに誘発される誘電破壊を極力避けることが可能となり、医療関連施設等において、施術者の放射線被曝を軽減しつつ、患者のプライバシーの保護を実現することができる。
【００１３】
また、本発明の放射線防護用衝立は、前記液晶ブラインドにおいて、前記液晶シートの少なくとも前記鉛ガラス側とは反対側の面に、板状のガラスが積層されることを特徴とする。
【００１４】
このような構成を有することにより、耐久性および耐薬品性に優れた板状のガラスによって、常に液晶ブラインドはカバーされることとなるため、例えば、不意に飛散した薬品や血液等が付着したりすることによって、液晶シートが動作不良を引き起こすのを極力防止することができる。
【００１５】
また、本発明の放射線防護用衝立において、前記衝立本体は、基体となる衝立用枠体フレームを備え、前記鉛ガラスは、絶縁部材を介して、前記衝立用枠体フレームに保持されることを特徴とする。
【００１６】
このような構成を有することにより、液晶シートに対する十分な絶縁対策を、鉛ガラスに施すことができる。
【００１７】
また、本発明の放射線防護用衝立において、前記液晶ブラインドは、基体となるブラインド用枠体フレームを備え、前記液晶シートは、前記ブラインド用枠体フレームによって保持され、前記ブラインド用枠体フレームおよび／または前記衝立用枠体フレームは、装着手段を有し、前記装着手段によって、前記液晶ブラインドは、前記衝立本体に着脱可能に装着されることを特徴とする。
【００１８】
このような構成を有することにより、例えば、不意に液晶ブラインドが故障したとしても、故障した液晶ブラインドを衝立本体より取り外して、新たな液晶ブラインドと直ちに交換することができる。
【発明の効果】
【００１９】
本発明の放射線防護用衝立によれば、医療関連施設等において、日常の放射線治療等による施術者の放射線被曝を軽減するとともに、鉛ガラスの誘電破壊を誘発することなく、患者のプライバシー保護を図ることができる。
【図面の簡単な説明】
【００２０】
【図１】本発明の一実施形態に係る放射線防護衝立の全体的な構成を示した図であって、当該放射線防護衝立に装着された液晶ブラインドの半面を仮想線（二点鎖線）によって示した正面図。
【図２】放射線防護衝立において液晶ブラインドの近傍を示した図であって、図１中の矢印Ｘの方向から見た断面側面図。
【発明を実施するための形態】
【００２１】
次に、発明の実施の形態を説明する。
【００２２】
［放射線防護用衝立１］
先ず、本発明を具現化する放射線防護用衝立１の全体構成について、図１および図２を用いて説明する。
なお、以下の説明においては便宜上、図１および図２の上下方向を放射線防護用衝立１の上下方向と規定して記述する。
また、図２においては、矢印Ａの方向を放射線防護用衝立１の前方と規定して記述する。
【００２３】
本実施形態における放射線防護用衝立１は、医療関連施設等において、患者のプライバシーを確保しつつ、ＣＴスキャン装置やレントゲン装置等から放射される微量のガンマ線やエックス線などの放射線を遮蔽し、日常の放射線治療や放射線検査等による施術者の放射線被曝を軽減するためのものである。
放射線防護用衝立１は、図１に示すように、主に衝立本体１０、および液晶ブラインド２０等により構成される。
【００２４】
衝立本体１０は、放射線防護用衝立１の基本となるものである。
衝立本体１０は、遮蔽ガラス積層体１１、および衝立用枠体フレーム１２等により構成される。
【００２５】
遮蔽ガラス積層体１１は、十分な視界（透明度合い）を有しつつ、放射線（特に、ガンマ線やエックス線）を遮蔽する機能を備えた部位である。
遮蔽ガラス積層体１１は、図２に示すように、一枚の遮蔽ガラス１１ａ、および二枚のカバーガラス１１ｂ・１１ｂ等により構成される。
【００２６】
遮蔽ガラス１１ａは、放射線遮蔽機能を備えた透明な鉛ガラスからなり、矩形板状に形成される。
また、カバーガラス１１ｂは、透明なフロートガラスからなり、遮蔽ガラス１１ａと同程度の表面積を有した矩形板状に形成される。
【００２７】
そして、これらの遮蔽ガラス１１ａおよびカバーガラス１１ｂは、図示せぬ接着層を各々介装しつつ、カバーガラス１１ｂ、遮蔽ガラス１１ａ、カバーガラス１１ｂの順に厚み方向に積層されて、互いに貼り合わされる。
こうして、本実施形態における衝立本体１０においては、放射線を遮蔽する透明且つ矩形板状の鉛ガラスからなる遮蔽ガラス１１ａを有した遮蔽ガラス積層体１１が備えられる。
【００２８】
このように、本実施形態においては、遮蔽ガラス積層体１１は、二枚のカバーガラス１１ｂ・１１ｂによって遮蔽ガラス１１ａの表裏両面をカバーする構成となっている。
従って、遮蔽ガラス積層体１１の表面に、不意に飛散した薬品や血液等が付着したり、または空気中に含有する水分等に触れたりなどすることによって、遮蔽ガラス１１ａが化学反応をおこして徐々に曇り、本来の透明性が失われるようなこともない。
また、不意に患者がぶつかる等、外部からの不意の衝撃を受けることによって遮蔽ガラス積層体１１が破損したとしても、遮蔽ガラス１１ａとカバーガラス１１ｂは、接着層で接着されているため、遮蔽ガラス積層体１１の破片が飛び散ることもなく、高い安全性を確保することができる。
【００２９】
なお、遮蔽ガラス積層体１１の構成については、遮蔽ガラス１１ａが、少なくとも二枚のカバーガラス１１ｂ・１１ｂによって厚み方向に挟持される構成を有する限り、本実施形態のものに限定されることはない。
即ち、例えば、二枚以上の遮蔽ガラス１１ａ・１１ａ・・・が、三枚以上のカバーガラス１１ｂ・１１ｂ・・・によって厚み方向に挟持されるような構成であってもよい。
【００３０】
衝立用枠体フレーム１２は、衝立本体１０の基体となる部位であって、遮蔽ガラス積層体１１を直立の姿勢にて保持するための部位である。
衝立用枠体フレーム１２は、例えば、アルミニウム合金やステンレス鋼などのような非鉄金属の部材によって形成され、図１に示すように、正面視にて上下方向に延出する矩形状の枠体構造に構成される。
【００３１】
衝立用枠体フレーム１２の上下方向の中央部には、左右方向（衝立用枠体フレーム１２の延出方向（上下方向）に対する正面視直交方向）に延出する繋ぎ部材１２ａが架設される。
これにより、繋ぎ部材１２ａによって区画された、衝立用枠体フレーム１２の上側半面（以下、「上側枠体構造部１２Ｕ」と記載する）は、遮蔽ガラス積層体１１の外縁形状（矩形状）に即した形状に構成される。
【００３２】
そして、上側枠体構造部１２Ｕの内周面には、ゴムや樹脂等からなるパッキング部材１３（図２を参照）が、前記内周面に沿って埋設される。
また、図２に示すように、繋ぎ部材１２ａの内部において、パッキング部材１３の近傍には、帯板形状の非鉄金属部材からなるセッティングブロック１４が、繋ぎ部材１２ａに沿って延設される。
なお、パッキング部材１３は前面側と背面側とが上側枠体構造部１２Ｕの内周面で繋がって一体物となっていてもよい。
【００３３】
このような構成からなる上側枠体構造部１２Ｕの内周部（内周面によって囲まれた空間部）において、遮蔽ガラス積層体１１は、セッティングブロック１４によって上下方向を規制されるとともに、パッキング部材１３によって外縁部を介して支持される。
【００３４】
こうして、衝立用枠体フレーム１２は、遮蔽ガラス積層体１１を、直立、且つ厚み方向を前後方向（衝立用枠体フレーム１２の延出方向（上下方向）に対する側面視直交方向）とする姿勢に保持する。
つまり、鉛ガラスからなる遮蔽ガラス１１ａを有した遮蔽ガラス積層体１１は、絶縁部材からなるパッキング部材１３等を介して、衝立用枠体フレーム１２に保持される。
【００３５】
なお、前述したように、衝立本体１０においては、遮蔽ガラス積層体１１と直接的に接触するパッキング部材１３やセッティングブロック１４等が、ゴムや樹脂等の絶縁部材によって形成されている。
また、これらのパッキング部材１３やセッティングブロック１４等と直接的に接触する衝立用枠体フレーム１２は、絶縁性を有する非鉄金属によって形成されている。
このように、本実施形態における衝立本体１０は、遮蔽ガラス積層体１１に対して十分な絶縁対策が施された構成となっている。
【００３６】
ところで、図１に示すように、繋ぎ部材１２ａによって区画された、衝立用枠体フレーム１２の下側半面（以下、「下側枠体構造部１２Ｌ」と記載する）の内周部には、複数の鉛板を貼り合わせて一体的に形成された化粧板１５が、前記内周部を閉塞するようにして貼設される。
【００３７】
こうして、衝立用枠体フレーム１２の内周部（より具体的には、上側枠体構造部１２Ｕおよび下側枠体構造部１２Ｌの各々の内周部）は、放射線遮蔽機能を備える遮蔽ガラス積層体１１および化粧板１５によって確実に閉塞される。
これにより、放射線防護用衝立１の前側および後側において、一方の側にて発生した放射線が、他方の側にて影響を及ぼすことがないように、放射線を確実に遮蔽することが可能となる。
【００３８】
なお、衝立用枠体フレーム１２の構成については、本実施形態に限定されるものではない。
即ち、例えば、衝立用枠体フレーム１２の外形形状に比べて、略同程度の外縁形状（矩形状）からなる遮蔽ガラス積層体１１を用いる場合においては、繋ぎ部材１２ａや化粧板１５等を設けることなく、遮蔽ガラス積層体１１のみによって衝立用枠体フレーム１２の内周部全体を閉塞するように、衝立用枠体フレーム１２を構成することとしてもよい。
【００３９】
衝立用枠体フレーム１２の下端部の左右両側には、キャスター１６・１６・・・が、前後両面に即して各々固設されている。
そして、これら複数のキャスター１６・１６・・・によって、衝立用枠体フレーム１２は直立の姿勢に保持されるとともに、任意の場所へと容易に搬送可能とされる。
【００４０】
次に、液晶ブラインド２０について説明する。
液晶ブラインド２０は、衝立本体１０の遮蔽ガラス積層体１１を通じた視界を、任意に変更するためのものである。
液晶ブラインド２０は、後述するように、遮蔽ガラス積層体１１と略同程度の表面積を有した矩形板状の調光パネル積層体２１を備え、衝立本体１０に対して着脱可能に構成される。
【００４１】
そして、液晶ブラインド２０が衝立本体１０に装着された状態において、調光パネル積層体２１は、遮蔽ガラス積層体１１の前後方向の一方側に離間して対向するように配置される。
このような状態において、調光パネル積層体２１の通電状態を制御することにより、調光パネル積層体２１の遮光状態および透光状態が切り替えられ、遮蔽ガラス積層体１１を通じた視界が任意に変更される。
【００４２】
［液晶ブラインド２０］
次に、液晶ブラインド２０の構成について、図１および図２を用いて詳述する。
液晶ブラインド２０は、図１に示すように、主に調光パネル積層体２１、ブラインド用枠体フレーム２２、および操作ボックス２３等により構成される。
【００４３】
調光パネル積層体２１は、衝立本体１０の遮蔽ガラス積層体１１を通じた視界を任意に変更するための、ブラインド機能を備えるものである。
調光パネル積層体２１は、図２に示すように、一枚の調光シート２１ａ、および二枚の透明パネル２１ｂ・２１ｂ等により構成される。
【００４４】
調光シート２１ａは、通電状態の切替えによって視界（透明度合い）を変更可能な液晶シートからなり、遮蔽ガラス積層体１１と略同程度の表面積を有した矩形板状に形成される。
また、透明パネル２１ｂは、ガラス、またはアクリル樹脂等の透明な部材からなり、調光シート２１ａと同程度の表面積を有した矩形板状に形成される。
【００４５】
なお、調光シート２１ａは、非通電状態において不透明（遮光状態）である一方、通電状態において内部に分散する液晶の分子が一定方向に整列して透明（透光状態）となる。
つまり、液晶シートからなる調光シート２１ａは、電圧の印加の有無により透明・不透明を切替え可能に構成される。
【００４６】
そして、これらの調光シート２１ａおよび透明パネル２１ｂは、図示せぬ接着層を各々介装しつつ、透明パネル２１ｂ、調光シート２１ａ、透明パネル２１ｂの順に厚み方向に積層されて、互いに貼り合わされる。
【００４７】
このように、本実施形態においては、二枚の透明パネル２１ｂ・２１ｂによって調光シート２１ａの表裏両面をカバーする構成となっている。
ここで、液晶ブラインド２０が衝立本体１０に装着された状態において、調光パネル積層体２１を構成する二枚の透明パネル２１ｂ・２１ｂの内、少なくとも、遮蔽ガラス積層体１１側との対向側（本実施形態においては前側）に位置する透明パネル２１ｂは、透明なガラスによって形成される。
つまり、液晶ブラインド２０において、液晶シートからなる調光シート２１ａの少なくとも遮蔽ガラス積層体１１側（より具体的には、鉛ガラスからなる遮蔽ガラス１１ａ側）とは反対側の面に、板状のガラスが積層される構成となっている。
【００４８】
このように、本実施形態における調光パネル積層体２１においては、耐久性および耐薬品性に優れたガラスからなる透明パネル２１ｂが、常に放射線防護用衝立１の外部側に位置する構成となっている。
従って、不意に飛散した薬品や血液等が付着したりすることによって、調光シート２１ａが動作不良を引き起こすようなこともない。
【００４９】
なお、このような調光シート２１ａの動作不良を防止するためには、液晶ブラインド２０が衝立本体１０に装着された状態において、少なくとも、調光シート２１ａの遮蔽ガラス積層体１１側とは反対側の面に、一枚の透明パネル２１ｂが配設されることで足りる。
しかしながら、液晶ブラインド２０の交換時において、新たな液晶ブラインドを衝立本体に装着する際に液晶ブラインド２０の表裏確認を行う必要がなく、交換作業を効率よく行うという観点からいえば、調光シート２１ａの表裏両面に二枚の透明パネル２１ｂ・２１ｂが各々配設される構成とするのが、より好ましい。
【００５０】
ブラインド用枠体フレーム２２は、液晶ブラインド２０の基体となる部位であって、調光パネル積層体２１を直立の姿勢にて保持しつつ、衝立本体１０に装着するための部位である。
ブラインド用枠体フレーム２２は、例えば、アルミニウム合金やステンレス鋼などのような非鉄金属の部材によって形成され、図１に示すように、正面視にて矩形状の枠体構造に構成される。
より具体的には、ブラインド用枠体フレーム２２は、調光パネル積層体２１の外縁形状（矩形状）に即した形状に構成される。
【００５１】
そして、このような構成からなるブラインド用枠体フレーム２２の内周部において、調光パネル積層体２１が外縁部を介して嵌合され保持される。
つまり、液晶シートからなる調光シート２１ａを有した調光パネル積層体２１は、ブラインド用枠体フレーム２２によって保持される。
【００５２】
ブラインド用枠体フレーム２２の上端部には、複数（例えば、本実施形態においては三個）の掛止部２２ａ・２２ａ・２２ａが固設される。
各掛止部２２ａは、側面視「コ」字形状に屈曲形成された部材によって構成される。
また、これらの掛止部２２ａ・２２ａ・２２ａは、ブラインド用枠体フレーム２２の上端部において、左右方向に等間隔にて離間して配置されるとともに、図２に示すように、各々、下方に向かって開口しつつ上方に突出するようにして固設される。
【００５３】
そして、ブラインド用枠体フレーム２２は、これらの掛止部２２ａ・２２ａ・２２ａを介して、衝立用枠体フレーム１２の上端部に掛止される。
これにより、液晶ブラインド２０は、衝立本体１０に対して着脱可能に装着される。
換言すると、掛止部２２ａは、衝立本体１０に対して液晶ブラインド２０を着脱可能に装着する際の装着手段として設けられる。
【００５４】
このように、本実施形態においては、掛止部２２ａからなる装着手段を介して、液晶ブラインド２０が衝立本体１０に着脱可能に装着されることから、例えば、液晶ブラインド２０が不意に故障したとしても、衝立本体１０に対して何ら作業を行うことなく、直ちに故障した液晶ブラインド２０を取り外し、新たな液晶ブラインド２０を装着することが可能である。
なお、このような液晶ブラインド２０の交換作業の実施中においては、一時的に液晶ブラインド２０のブラインド機能を働かせることができないものの、衝立本体１０の遮蔽ガラス積層体１１に本来備えられている放射線遮蔽機能が損なわれることはない。
【００５５】
ここで、各掛止部２２ａは、アルミニウム合金やステンレス鋼などの非鉄金属の部材によって形成される。また、各掛止部２２ａの内表面（衝立用枠体フレーム１２と接触する部分）は、ゴムや樹脂等からなる絶縁部材で覆われている。
このように、本実施形態における液晶ブラインド２０は、調光パネル積層体２１と、衝立本体１０の遮蔽ガラス積層体１１と関係において、十分な絶縁対策が施された構成となっている。
【００５６】
なお、掛止部２２ａの構成については、液晶ブラインド２０の装着手段としての機能を有する限り、本実施例のものに限定されるものではない。
即ち、例えば、図２中において仮想線（二点鎖線）によって示されるように、上方に開口する断面視「コ」字形状の支持部材１７を、衝立用枠体フレーム１２の繋ぎ部材１２ａに沿って別途延設させ、当該支持部材１７中にブラインド用枠体フレーム２２の下端部を挿嵌することにより、衝立本体１０に対して液晶ブラインド２０を着脱可能に装着する構成としてもよい。
つまり、本実施形態における放射線防護用衝立１は、ブラインド用枠体フレーム２２および／または衝立用枠体フレーム１２に装着手段を設け、当該装着手段によって、液晶ブラインド２０が、衝立本体１０に着脱可能に装着される構成となっている。
【００５７】
掛止部２２ａを介して、液晶ブラインド２０が衝立本体１０に装着された状態において、調光パネル積層体２１は、遮蔽ガラス積層体１１の前後方向の一方側（本実施形態においては前側）にて、当該遮蔽ガラス積層体１１と対向して配置される。
換言すると、液晶ブラインド２０が衝立本体１０に装着された状態において、調光パネル積層体２１は、正面視にて、遮蔽ガラス積層体１１の一方の面（本実施形態においては、前面）を覆い隠すように配置される。
【００５８】
そして、本実施形態においては、遮蔽ガラス積層体１１と調光パネル積層体２１との間に、幾分かの離間間隔（図２中における寸法Ｘ）を設けることとしている。
これにより、例えば、調光パネル積層体２１の視界を変更する（透明状態とする）ために、液晶シートからなる調光シート２１ａを通電状態とする場合においても、調光シート２１ａによる磁場によって、鉛ガラスからなる遮蔽ガラス積層体１１の遮蔽ガラス１１ａが受ける影響を、極力低減することができる。
つまり、鉛ガラスからなる遮蔽ガラス１１ａにおいて、静電気によって誘発される誘電破壊を極力避けることが可能である。
【００５９】
なお、この際の遮蔽ガラス積層体１１と調光パネル積層体２１との離間間隔（寸法Ｘ）は、およそ５［ｍｍ］程度とするのが好ましい。
【００６０】
操作ボックス２３は、液晶シートからなる調光シート２１ａの通電状態を制御するためのものであり、記憶部や操作部等が内装されるとともに、操作スイッチ等が外部に向かって突設される。
操作ボックス２３は、図１に示すように、例えば本実施形態においては、液晶ブラインド２０において、ブラインド用枠体フレーム２２の掛止部２２ａの一部を利用して固設されるとともに、調光シート２１ａと電気的に接続される。
【００６１】
なお、操作ボックス２３の構成については、本実施形態のものに限定されることはなく、例えば、液晶ブラインド２０に対して独立した構成とし、操作ボックス２３単独で、衝立本体１０の衝立用枠体フレーム１２に装着可能な構成としてもよい。
この際、調光シート２１ａとの電気的な接続については、着脱可能なコネクタ等を用いることがより好ましい。
【００６２】
以上に示したように、本実施形態における放射線防護用衝立１においては、衝立本体１０に液晶ブラインド２０が装着されることにより、鉛ガラスからなる遮蔽ガラス１１ａを有した遮蔽ガラス積層体１１の、厚み方向の少なくとも一方側（本実施形態においては、前側）において、液晶シートからなる調光シート２１ａを有した液晶ブラインド２０が、遮蔽ガラス積層体１１（より具体的には、鉛ガラスからなる遮蔽ガラス１１ａ）と離間して対向するように配置される構成となっている。
このような構成を有することで、本実施形態の放射線防護用衝立１によれば、遮蔽ガラス積層体１１の遮蔽ガラス１１ａに誘発される誘電破壊を極力避けることが可能となり、医療関連施設等において、施術者の放射線被曝を軽減しつつ、患者のプライバシーの保護を実現することができる。
【００６３】
なお、衝立本体１０において、患者のプライバシーを確保するための方策としては、例えば市販品のカーテン等によって、遮蔽ガラス積層体１１を覆うことも考えられる。
しかしながら、医療関連施設等においては、常にクリーンな環境が求められるところ、カーテンでは粉塵等が溜まりやすく、また付着した粉塵や汚れ等を洗い落とすとしても手間がかかる。
この点、本実施形態における液晶ブラインド２０であれば、例え粉塵や汚れ等が付着したとしても、拭き取るだけで直ちにクリーンな状態を確保することができるため、より好ましい。
【符号の説明】
【００６４】
１    放射線防護用衝立
１０    衝立本体
１１ａ    遮蔽ガラス（鉛ガラス）
１２    衝立用枠体フレーム
１７    支持部材（装着手段）
２０    液晶ブラインド
２１ａ    調光シート（液晶シート）
２１ｂ    透明パネル（ガラス）
２２    ブラインド用枠体フレーム
２２ａ    掛止部（装着手段）
【図１】
2016008849.tif 000003
【図２】
2016008849.tif 000004